(57)【要約】【課題】受信電界強度の劣化が発生した位置情報を収集できる無線通信品質収集システムを提供する。【解決手段】無線装置１１１は、無線信号の送受信を行うと共に、無線信号の受信電界強度を測定する。制御装置１１２は、測定された受信電界強度に基づいて、受信電界強度の劣化を検出する。制御装置１１２は、受信電界強度の劣化を検出すると、位置情報・時刻情報取得装置１１３から、携帯電話機１１０の位置情報及び時刻情報を取得し、これを記憶装置１１４に記憶する。記憶装置１１４に記憶された位置情報及び時刻情報は、外部装置用インターフェース部１１５を介して外部記憶装置１１６に転送される。外部記憶装置に転送された位置情報と地図データ１２１とを照合することで、受信電界強度劣化の発生分布状況を把握できる。【選択図】図１
2008153858.tif 000002
【特許請求の範囲】
【請求項１】
無線通信システムの基地局との間で無線信号を送受信すると共に、前記基地局から受信する無線信号の受信電界強度を測定する無線部と、
携帯無線通信装置の位置情報を取得する位置情報取得部と、
前記無線部が測定した受信電界強度に基づいて受信電界強度の劣化を検出し、該受信電界強度の劣化を検出したときの携帯無線通信装置の位置情報を前記位置情報取得部から取得し、記憶部に記憶する制御部とを有することを特徴とする携帯無線通信装置。
【請求項２】
前記制御部は、受信電界強度の劣化を検出すると、受信電界強度の低下をユーザに知らせるための品質アラーム発生部にアラーム発生を指示する、請求項１に記載の携帯無線通信装置。
【請求項３】
前記制御部は、受信電界強度の劣化を検出すると、前記位置情報取得部から前記位置情報と共に時刻情報を取得し、前記記憶部に記憶する、請求項１又は２に記載の携帯無線通信装置。
【請求項４】
前記位置情報取得部は、位置情報及び時刻情報の双方を取得可能な測位システムを用いて、位置情報及び時刻情報を取得する、請求項３に記載の携帯無線通信装置。
【請求項５】
前記位置情報取得部は、複数基地局測位方式又はセルベース測位方式で位置情報を取得し、時刻情報を携帯無線通信装置の時計機能から取得する、請求項３に記載の携帯無線通信装置。
【請求項６】
外部記憶装置を接続するための外部装置用インターフェース部を備えており、前記制御部は、前記外部装置用インターフェース部を介して、前記記憶部に記憶された位置情報及び時刻情報を、外部記憶装置に転送する、請求項３〜５の何れか一に記載の携帯無線通信装置。
【請求項７】
前記制御部は、前記外部装置用インターフェース部に外部記憶装置が接続されたことを検出すると、該接続された外部記憶装置に、前記記憶部に記憶された位置情報及び時刻情報を転送する、請求項６に記載の携帯無線通信装置。
【請求項８】
前記制御部は、前記無線部によりネットワークデータ通信が開始されると、前記無線部により、前記記憶部に記憶された位置情報及び時刻情報を前記基地局に向けて無線送信する、請求項３〜７の何れか一に記載の携帯無線通信装置。
【請求項９】
前記制御部は、ユーザが電源オフの操作を行ったことを検出すると、前記無線部により、前記記憶部に記憶された位置情報及び時刻情報を前記基地局に向けて無線送信する、請求項３〜８の何れか一に記載の携帯無線通信装置。
【請求項１０】
無線通信システムの基地局との間で無線信号を送受信すると共に、前記基地局から受信する無線信号の受信電界強度を測定する無線部と、携帯無線通信装置の位置情報を取得する位置情報取得部と、前記無線部が測定した受信電界強度に基づいて受信電界強度の劣化を検出し、該受信電界強度の劣化が発生したときの携帯無線通信装置の位置情報を前記位置情報取得部から取得し、記憶部に記憶する制御部と、外部記憶装置を接続するための外部装置用インターフェース部とを備えた携帯無線通信装置と、
前記記憶部に記憶された位置情報を、前記外部装置用インターフェース部、又は、前記無線部を介して受信し記憶する外部記憶装置とを有すること特徴とする無線通信品質収集システム。
【請求項１１】
前記制御部は、受信電界強度の劣化を検出すると、受信電界強度の低下をユーザに知らせるための品質アラーム発生部にアラーム発生を指示する、請求項１０に記載の無線通信品質収集システム。
【請求項１２】
前記位置情報と照合するための地図データを記憶する地図データ記憶装置を更に有する、請求項１０又は１１に記載の無線通信品質収集システム。
【請求項１３】
前記制御部は、受信電界強度の劣化を検出すると、前記位置情報取得部から前記位置情報と共に時刻情報を取得し、前記記憶部に記憶する、請求項１０〜１２の何れか一に記載の無線通信品質収集システム。
【請求項１４】
前記制御部は、前記外部装置用インターフェース部に前記外部記憶装置が接続されたことを検出すると、該外部記憶装置に、前記記憶部に記憶された位置情報及び時刻情報を送信する、請求項１３に記載の無線通信品質収集システム。
【請求項１５】
前記制御部は、前記無線部によりネットワークデータ通信が開始されると、前記無線部により、前記記憶部に記憶された位置情報及び時刻情報を前記外部記憶装置に無線送信する、請求項１３又は１４に記載の無線通信品質収集システム。
【請求項１６】
前記制御部は、ユーザが電源オフの操作を行ったことを検出すると、前記無線部により、前記記憶部に記憶された位置情報及び時刻情報を前記外部記憶装置に無線送信する、請求項１３〜１５の何れか一に記載の無線通信品質収集システム。
【請求項１７】
携帯無線通信装置と無線通信システムの基地局との間で送受信される無線信号の受信電界強度を測定するステップと、
前記測定された受信電界強度に基づいて受信電界強度の劣化を検出するステップと、
受信電界強度の劣化を検出すると、前記携帯無線通信装置内の記憶部に、受信電界強度の劣化が発生した地点の位置情報を記憶するステップと、
前記記憶部に記憶された位置情報を、前記携帯無線通信装置外部の外部記憶装置に転送するステップとを有することを特徴とする無線通信品質収集方法。
【発明の詳細な説明】
【技術分野】
【０００１】
本発明は、携帯無線通信装置、無線通信品質収集システム、及び、方法に関し、更に詳しくは、基地局との間の無線信号の受信電界強度を測定する機能を有する携帯無線通信装置、並びに、そのような携帯無線通信装置を用いた無線通信品質収集システム、及び、方法に関する。
【背景技術】
【０００２】
近年、携帯電話機の普及に伴い、無線環境を整備するため、基地局の増設やアンテナ緒元の調整等が、より一層進められている。この無線環境整備の下準備として、事業者は、対象地域のトラフィックデータによる呼損率等の確認や、受信電界強度の測定などを行う。その際、受信電界強度の測定を、広大な地域のすべての範囲で行うとすると、電界強度の調査に膨大な時間が必要となり、時間と手間がかかる。そこで、事業者は、携帯電話機の利用者が体感した「圏外」や「つながりにくい」といった状況が発生する場所に関する情報を募集し、これを、無線環境整備の優先順位を検討する際などに利用している。
【０００３】
しかしながら、一般に、利用者から寄せられる情報は、無線エリア全体から見ればごく一部のエリアに関する情報であり、利用者から、無線エリア全体をカバーする情報を得ることは困難である。また、利用者から寄せられる情報は、曖昧な点を含んでいることが多いので、事業者は、寄せられた情報について、その内容を精査する必要があり、精査に多大な労力を有するという問題が発生する。
【０００４】
上記問題を解消する技術としては、特許文献１に記載された技術がある。特許文献１に記載の技術では、端末は、通信異常が発生した際に、通信異常が発生した要因を記憶装置に記憶し、サーバ側への通信が可能となった時点で、通信異常の発生要因をサーバに送信する。その際、通信異常が発生した位置を測定し、通信異常が発生した位置の情報を併せて送信する。このようにすることで、サーバは、端末側で実際に通信異常が発生したときに、通信異常の発生場所とその要因とについて、正確な情報を収集できる。
【０００５】
また、端末によって電界強度を測定し、測定した電界強度の情報をサーバ側に送信する技術としては、特許文献２に記載された技術がある。特許文献２に記載された技術では、端末装置は、ユーザが位置測定の操作を行うと、ＧＰＳなどにより位置測定を行うと共に、電界強度の測定を行い、位置と電界強度を対応付けて記憶する。その後、端末側から、基地局に向けて、記憶した電界強度の情報を、その測定位置情報と共に送信する。特許文献２では、移動体通信を利用しているユーザの端末装置を用いて電界強度を測定するため、電界強度を調査するために必要な設備費や、人件費、移動費等を削減できるとしている。
【特許文献１】特開２００２−２７１８３３号公報
【特許文献２】特開２００６−２４６０３２号公報
【発明の開示】
【発明が解決しようとする課題】
【０００６】
特許文献１では、通信異常が発生した際に、その要因と位置とを記憶している。このため、例えば受信電界強度が劣化し、通信異常が発生しそうになったとしても、実際に通信異常が発生しなければ、その情報はサーバ側には送信されない。また、特許文献２では、電界強度の測定は、ユーザによる位置測定操作が契機となっている。このためユーザが位置測定を行わない地点での電界強度の情報を収集することはできず、電界強度が弱い地点を発見できるかどうかは、ユーザがちょうどその地点で位置測定操作を行うかどうかに依存することになる。
【０００７】
本発明は、上記従来技術の問題点を解消し、事業者が、携帯無線通信装置で受信電界強度の劣化が発生する地点に関する情報を収集することができる無線通信品質収集システム及び方法を提供することを目的とする。また、本発明は、そのような無線通信品質収集システムで利用できる携帯無線通信装置を提供することを目的とする。
【課題を解決するための手段】
【０００８】
上記目的を達成するために、本発明の携帯無線通信装置は、無線通信システムの基地局との間で無線信号を送受信すると共に、前記基地局から受信する無線信号の受信電界強度を測定する無線部と、携帯無線通信装置の位置情報を取得する位置情報取得部と、前記無線部が測定した受信電界強度に基づいて受信電界強度の劣化を検出し、該受信電界強度の劣化を検出したときの携帯無線通信装置の位置情報を前記位置情報取得部から取得し、記憶部に記憶する制御部とを有することを特徴とする。
【０００９】
本発明の無線通信品質収集システムは、無線通信システムの基地局との間で無線信号を送受信すると共に、前記基地局から受信する無線信号の受信電界強度を測定する無線部と、携帯無線通信装置の位置情報を取得する位置情報取得部と、前記無線部が測定した受信電界強度に基づいて受信電界強度の劣化を検出し、該受信電界強度の劣化が発生したときの携帯無線通信装置の位置情報を前記位置情報取得部から取得し、記憶部に記憶する制御部と、外部記憶装置を接続するための外部装置用インターフェース部とを備えた携帯無線通信装置と、前記記憶部に記憶された位置情報を、前記外部装置用インターフェース部、又は、前記無線部を介して受信し記憶する外部記憶装置とを有すること特徴とする。
【００１０】
本発明の無線通信品質収集方法は、携帯無線通信装置と無線通信システムの基地局との間で送受信される無線信号の受信電界強度を測定するステップと、前記測定された受信電界強度に基づいて受信電界強度の劣化を検出するステップと、受信電界強度の劣化を検出すると、前記携帯無線通信装置内の記憶部に、受信電界強度の劣化が発生した地点の位置情報を記憶するステップと、前記記憶部に記憶された位置情報を、前記携帯無線通信装置外部の外部記憶装置に転送するステップとを有することを特徴とする。
【００１１】
本発明の携帯無線通信装置、無線通信品質収集システム、及び、方法では、受信電界強度の測定結果に基づいて受信電界強度の劣化を検出し、受信電界強度の劣化が検出されたときの携帯無線通信装置の位置情報を取得し、これを記憶部に記憶する。このように記憶部に記憶された位置情報を収集することで、受信電界強度の劣化が発生した地点に関する情報を収集できる。また、収集した位置情報を地図データと照らし合わせることで、受信電界強度劣化発生の分布状況を調べることができ、事業者による無線設備増強計画などに役立てることができる。
【００１２】
本発明の携帯無線通信装置及び無線通信品質収集システムでは、前記制御部は、受信電界強度の劣化を検出すると、受信電界強度の低下をユーザに知らせるための品質アラーム発生部にアラーム発生を指示する構成を採用できる。例えば、通信開始後に、受信電界強度の劣化を検出したときには、アラームを発生することで、ユーザに受信電界強度が劣化した、つまりは通信が途切れるおそれがある旨を通知することができる。
【００１３】
本発明の携帯無線通信装置及び無線通信品質収集システムでは、前記制御部は、受信電界強度の劣化を検出すると、前記位置情報取得部から前記位置情報と共に時刻情報を取得し、前記記憶部に記憶する構成を採用できる。記憶部に、位置情報に加えて受信電界強度の劣化が検出された時刻に関する情報を記憶することで、受信電界強度劣化の発生位置と発生時刻とを知ることができる。また、時刻情報を参照することで、受信電界強度の劣化がどのくらいの頻度で発生しているかを把握することもできる。
【００１４】
本発明の携帯無線通信装置では、前記位置情報取得部は、位置情報及び時刻情報の双方を取得可能な測位システムを用いて、位置情報及び時刻情報を取得する構成を採用できる。或いは、前記位置情報取得部は、複数基地局測位方式又はセルベース測位方式で位置情報を取得し、時刻情報を携帯無線通信装置の時計機能から取得する構成を採用できる。位置測位方式として、例えばＧＰＳ測位方式などの位置情報と時刻情報の双方を取得できる測位方式を用いる場合いは、位置測定と同時に時刻情報を取得すればよい。また、複数基地局測位方式やセルベース測位方式などの方式で位置測定を行う場合には、位置情報はそれら測位方式で測定し、時刻情報は携帯無線通信装置の時計機能から取得すればよい。
【００１５】
本発明の携帯無線通信装置は、外部記憶装置を接続するための外部装置用インターフェース部を備えており、前記制御部は、前記外部装置用インターフェース部を介して、前記記憶部に記憶された位置情報及び時刻情報を、外部記憶装置に転送する構成を採用できる。外部記憶装置に、記憶部内に記憶された位置情報及び時刻情報を転送することで、携帯無線通信装置内部の記憶部の容量を有効活用できる。また、外部記憶装置に、複数の携帯無線通信装置からの位置情報及び時刻情報を蓄積することで、受信電界強度劣化が発生した位置に関する情報を広く集めることができる。
【００１６】
本発明の携帯無線通信装置及び無線通信品質収集システムでは、前記制御部は、前記外部装置用インターフェース部に外部記憶装置が接続されたことを検出すると、該接続された外部記憶装置に、前記記憶部に記憶された位置情報及び時刻情報を転送する構成を採用できる。この場合、外部接続用インターフェース部に外部記憶装置を接続することで位置情報及び時刻情報の転送が自動的に行われ、位置情報及び時刻情報転送の際の操作を簡略化できる。
【００１７】
本発明の携帯無線通信装置及び無線通信品質収集システムでは、前記制御部は、前記無線部によりネットワークデータ通信が開始されると、前記無線部により、前記記憶部に記憶された位置情報及び時刻情報を前記基地局に向けて無線送信する構成を採用できる。この場合、ユーザが、携帯無線通信装置を用いてネットワークデータ通信を開始すると、自動的に、位置情報及び時刻情報が外部記憶装置に転送され、位置情報及び時刻情報転送の際の操作を簡略化できる。
【００１８】
本発明の携帯無線通信装置及び無線通信品質収集システムでは、前記制御部は、ユーザが電源オフの操作を行ったことを検出すると、前記無線部により、前記記憶部に記憶された位置情報及び時刻情報を前記基地局に向けて無線送信する構成を採用できる。外部記憶装置への位置情報及び時刻情報の転送のタイミングは任意であるが、例えば電源オフの操作をしたタイミングで、位置情報及び時刻情報を外部記憶装置に転送する構成を採用することができる。
【００１９】
本発明の無線通信品質収集システムは、前記位置情報と照合するための地図データを記憶する地図データ記憶装置を更に有する構成を採用できる。この場合、位置情報と地図データとを照合することで、受信電界強度の劣化が発生した位置を把握することができる。
【発明の効果】
【００２０】
本発明の携帯無線通信装置、無線通信品質収集システム、及び、方法では、受信電界強度の測定結果に基づいて受信電界強度の劣化を検出し、受信電界強度の劣化が検出されたときの携帯無線通信装置の位置情報を取得して、これを記憶部に記憶する。受信電界強度の劣化が検出された際に、そのときの位置に関する情報を記憶部に記憶し、携帯無線通信装置から、記憶された位置情報を収集することで、受信電界強度の劣化が発生した地点に関する情報を収集できる。また、収集した位置情報を地図データと照らし合わせることで、受信電界強度劣化発生の分布状況を調べることができ、事業者による無線設備増強計画などに役立てることができる。
【発明を実施するための最良の形態】
【００２１】
以下、図面を参照し、本発明の実施の形態を詳細に説明する。図１は、本発明の一実施形態の無線通信品質収集システムの構成を示している。無線通信品質収集システム１００は、携帯電話機１１０と、外部記憶装置１１６、１２０と、地図データ１２１とを有する。携帯電話機１１０は、無線装置１１１、制御装置１１２、位置情報・時刻情報取得装置１１３、記憶装置１１４、外部装置用インターフェース部１１５、無線通信用アンテナ１１７、品質アラーム発生装置１１８、及び、位置情報・時刻情報取得用アンテナ１１９を備える。
【００２２】
無線装置１１１は、無線通信用アンテナ１１７を通じて、基地局等の無線装置との間で通信を行う。また、無線装置１１１は、あらかじめ指定された方法で、受信電界強度の測定を実施する。受信電界強度の測定は、例えばユーザが携帯電話機１１０を用いて通話を行っているときに行う。制御装置１１２は、無線装置１１１が測定した受信電界強度の測定結果を受け取り、その測定結果に基づいて、受信電界強度の劣化を検出する。
【００２３】
制御装置１１２は、受信電界強度の劣化を検出すると、品質アラーム発生装置１１８へ、品質アラーム発生指示を行う。また、位置情報・時刻情報取得装置１１３に対して、位置情報と時刻情報とを要求する。品質アラーム発生装置１１８は、制御装置１１２から、品質アラーム発生指示を受けると、品質アラームを発生する。品質アラームの発生では、例えば警告音を鳴らすことで、ユーザに受信電界強度が劣化したことを通知する。
【００２４】
位置情報・時刻情報取得装置１１３は、携帯電話機１１０の位置の測定、及び、現在時刻の取得を行う。位置情報・時刻情報取得装置１１３は、例えばＧＰＳ衛星を用いたＧＰＳ測位方式により、位置測定を行う。或いは、３つ以上の基地局からの同期信号に基づいて位置を算出する複数基地局測位方式や、移動機が接続している基地局のセルの情報から位置を算出するセルベース測位方式で、位置測定を行ってもよい。ＧＰＳにより位置測定を行う場合には、時刻情報は、ＧＰＳから取得できる。複数基地局測位方式やセルベース測位方式により位置測定を行う場合には、時刻情報は、携帯電話機１１０に内蔵された時計から取得する。
【００２５】
位置情報・時刻情報取得装置１１３は、制御装置１１２から、位置情報及び時刻情報を要求されると、位置測定及び時刻取得を行って、測定した位置情報及び取得した時刻情報を、制御装置１１２に返す。或いは、位置情報の測定を周期的に行い、位置情報を要求された時点の直近の時点での位置測定結果を制御装置１１２に返してもよい。制御装置１１２は、位置情報・時刻情報取得装置１１３から受け取った位置情報及び時刻情報を、記憶装置１１４に記憶する。記憶装置１１４は、例えば携帯電話機１１０の本体内に内蔵された半導体メモリである。
【００２６】
外部装置用インターフェース部１１５は、携帯電話機１１０に外部記憶装置１１６を接続するためのインターフェースである。外部記憶装置１１６は、例えば、ハードディスク等の記憶装置である。或いは、抜き差し可能なカード型の半導体メモリ装置であってもよい。外部記憶装置１１６は、例えば、携帯電話の通信事業者の事業所に設置されている。制御装置１１２は、外部装置用インターフェース部１１５に外部記憶装置１１６が接続されると、記憶装置１１４内に記憶した位置情報及び時刻情報を、外部記憶装置１１６に送信する。外部記憶装置１１６は、送信された位置情報及び時刻情報を保持する。
【００２７】
記憶装置１１４に記憶された位置情報及び時刻情報は、外部装置用インターフェース部１１５を介して外部記憶装置１１６に送信される他に、無線通信を介して、外部記憶装置１２０に送信される。外部記憶装置１２０は、例えば基地局に設置されたハードディスク等の記憶装置である。制御装置１１２は、特定のタイミングで、記憶装置１１４に記憶された位置情報及び時刻情報を、無線装置１１１によって、基地局を介して外部記憶装置１２０に送信する。このときの特定のタイミングとしては、ユーザが無線データ通信を開始したタイミング、ユーザが電源オフの操作を行ったタイミングなどが考えられる。外部記憶装置１２０は、送信された位置情報及び時刻情報を保持する。
【００２８】
地図データ１２１は、位置情報と照合されるための地図情報である。地図データ１２１は、例えば無線通信の品質管理を行うための品質管理センター内の記憶装置に記憶されている。この地図データ１２１と、外部記憶装置１１６又は外部記憶装置１２０が記憶する位置情報及び時刻情報とを照合することで、品質アラームの発生分布状況や発生頻度を把握することができる。なお、外部記憶装置１１６と外部記憶装置１２０とについては、これらを物理的又は論理的に同一の記憶装置としてもよい。または、外部記憶装置１１６と外部記憶装置１２０とで、互いに記憶する位置情報及び時刻情報を送受信し、記憶内容を一致させてもよい。
【００２９】
図２は、無線通信品質収集システムの動作手順を示している。無線装置１１１は、通話時に、あらかじめ定められた方法で受信電界強度を測定する（ステップＳ１１）。無線装置１１１は、その測定結果を、制御装置１１２に随時報告する。制御装置１１２は、無線装置１１１から報告された受信電界強度の測定結果に基づいて、受信電界強度の劣化を検出する（ステップＳ１２）。制御装置１１２は、例えば、無線装置１１１が測定した受信電界強度が、所定のしきい値よりも小さいと、受信電界強度が劣化したと判断する。
【００３０】
制御装置１１２は、受信電界強度の劣化を検出すると、品質アラーム発生装置１１８にアラーム発生を指示すると共に、位置情報・時刻情報取得装置１１３に、位置情報と時刻情報とを要求する（ステップＳ１３）。位置情報・時刻情報取得装置１１３は、その要求に対する応答として、携帯電話機１１０の位置に関する情報、及び、現在時刻を、制御装置１１２に返す。制御装置１１２は、位置情報・時刻情報取得装置１１３から位置情報及び時刻情報を取得すると、取得した位置情報及び時刻情報を、記憶装置１１４に記憶する（ステップＳ１４）。携帯電話機１１０は、ステップＳ１１からステップＳ１４を適宜実行し、通信品質の劣化が発生したタイミングでの携帯電話機１１０の位置情報と時刻情報とを記憶装置１１４に蓄積していく。
【００３１】
制御装置１１２は、外部装置用インターフェース部１１５に外部記憶装置１１６が接続されているか否か、ユーザがインターネット接続をしたか否か、電源オフの操作が行われたか否かを判断する（ステップＳ１５、ステップＳ１７、ステップＳ１９）。制御装置１１２は、外部記憶装置１１６が接続されたことを検出したときには、外部装置用インターフェース部１１５を介して、外部記憶装置１１６に、記憶装置１１４に記憶された位置情報及び時刻情報を送信する（ステップＳ１６）。外部記憶装置１１６は、受信した位置情報及び時刻情報を保持する。
【００３２】
制御装置１１２は、ユーザが携帯電話機１１０をインターネットに接続したときには、無線装置１１１によって、記憶装置１１４が記憶する位置情報及び時刻情報を外部記憶装置１２０に無線送信する（ステップＳ１８）。外部記憶装置１２０は、受信した位置情報を及び時刻情報を保持する。制御装置１１２は、電源オフの操作が行われたときには、電源オフに先立って、無線装置１１１により、記憶装置１１４が記憶する位置情報及び時刻情報を外部記憶装置１２０に無線送信する（ステップＳ２０）。外部記憶装置１２０は、受信した位置情報を及び時刻情報を保持し、受信完了を制御装置１１２に通知する。制御装置１１２は、受信完了報告を受け取ると、電源オフの処理を進める。
【００３３】
外部記憶装置１１６及び外部記憶装置１２０には、上記手順により、携帯電話機１１０の記憶装置１１４に記憶された、受信電界強度が発生した位置及び時刻に関する情報が蓄積される。外部記憶装置１１６及び外部記憶装置１２０に、複数の携帯電話機１１０から位置情報及び時刻情報が送信されることで、様々な地点で発生する受信電界強度の劣化発生位置に関する情報を取得できる。その後、事業者は、外部記憶装置１１６及び外部記憶装置１２０に蓄積された位置情報と、地図データ１２１とを照合する（ステップＳ２１）。事業者は、この照合により、受信電界強度の劣化が発生する地点の分布状況を知ることができる。また、時刻情報を併せて参照することで、受信電界強度の劣化の発生頻度を把握することができる。
【００３４】
本実施形態では、携帯電話機１１０は、品質アラームの発生条件が成立したとき、すなわち受信電界強度の劣化を検出したときに、記憶装置１１４に、受信電界強度の劣化が発生した位置及び時刻に関する情報を記憶する。この情報を、外部記憶装置１１６又は外部記憶装置１２０に転送し、地図データ１２１との照合を行うことで、事業者は、受信電界強度の劣化が発生した地点の分布状況や発生頻度を把握することができる。また、ユーザの携帯電話機１１０から取得した位置情報は、実際に受信電界強度の劣化が発生した地点の位置情報であるため、事業者は、ユーザから入手した情報内容を一つ一つ精査する必要がなくなり、情報の精査に要する労力を抑えることができる。
【００３５】
なお、上記実施形態では、受信電界強度の劣化を検出すると、品質アラームの発生を行うと共に、記憶装置１１４に位置情報及び時刻情報を記憶したが、品質アラームのユーザへの通知を行わずに、記憶装置１１４に位置情報及び時刻情報を記憶する構成とすることもできる。また、記憶装置１１４から外部記憶装置１１６及び外部記憶装置１２０への位置情報及び時刻情報の転送は、上記したタイミング及び方法には限られず、位置情報及び時刻情報は、任意のタイミング及び方法で転送することができる。上記実施形態では、移動体通信システムにおける移動端末を携帯電話機１１０として説明したが、これには限られず、任意の携帯無線通信装置を採用することができる。
【００３６】
以上、本発明をその好適な実施形態に基づいて説明したが、本発明の携帯無線通信装置、無線通信品質収集システム、及び、方法は、上記実施形態にのみ限定されるものではなく、上記実施形態の構成から種々の修正及び変更を施したものも、本発明の範囲に含まれる。
【図面の簡単な説明】
【００３７】
【図１】本発明の一実施形態の無線通信品質収集システムの構成を示すブロック図。
【図２】無線通信品質収集システムの動作手順を示すフローチャート。
【符号の説明】
【００３８】
１００：無線通信品質収集システム
１１０：携帯電話機
１１１：無線装置
１１２：制御装置
１１３：位置情報・時刻情報取得装置
１１４：記憶装置
１１５：外部装置用インターフェース部
１１６、１２０：外部記憶装置
１１７、１１９：アンテナ
１１８：品質アラーム発生装置
１２１：地図データ
【図１】
2008153858.tif 000003
【図２】
2008153858.tif 000004